(57)【要約】【課題】  被充電装置の識別情報の認識と充電状況の把握が可能で安価な非接触充電システムを提供すること。【解決手段】  充電装置１は、充電回路部１２と、ＩＣタグリーダ部１４と、アンテナ１５と、制御部１１とを具備し、被充電装置２は、バッテリー２４と、充電制御回路部２３と、平滑回路部２２と、ＩＣタグ部２５と、アンテナ２６と、ＩＣタグ部２５とアンテナ２６との間のスイッチ２７とを具備し、充電制御回路部２３は、バッテリー２４の電力が予め定めた値を越える場合にはスイッチ２７を非導通とし、バッテリー２４の電力が上記の値以下の場合にはスイッチ２７を導通とする機能を有し、ＩＣタグリーダ部１４は、識別情報の読み取り動作を行い、制御部１１は、識別情報が読み取れ、かつ、許可されている識別情報と一致した場合にのみ充電回路部１２の充電動作を開始する機能と、識別情報が読み取れない場合に充電動作を停止する機能とを有している。【選択図】図１
2013021894.tif 000002
【特許請求の範囲】
【請求項１】
充電装置と被充電装置とを有し、前記充電装置に設けた送電コイルと前記被充電装置に設けた受電コイルとの間の電磁誘導を介して、前記充電装置から前記被充電装置に対して非接触で充電を行う非接触充電システムにおいて、前記充電装置は、前記送電コイルに供給する充電電力を発生する充電回路部と、前記被充電装置から送られた識別情報を読み取る情報リーダ部と、前記情報リーダ部に接続された第１のアンテナと、前記充電回路部及び前記情報リーダ部を制御するための制御部とを具備し、前記被充電装置は、バッテリーと、前記バッテリーへの充電を制御する充電制御回路部と、前記受電コイルに誘起された電力を平滑化して前記充電制御回路部に出力する平滑回路部と、固有の識別情報を記憶したＩＣを内蔵した情報記録部と、前記情報記録部と前記情報リーダ部との間の通信を行うための第２のアンテナと、前記情報記録部と前記第２のアンテナとの間に設置されたスイッチとを具備し、前記充電制御回路部は、前記バッテリーの充電状況を監視し、前記バッテリーの電力が予め定めた値を越える場合には前記スイッチを制御して前記情報記録部と前記第２のアンテナとの間を非導通とし、前記バッテリーの電力が予め定めた値以下の場合には前記スイッチを制御して前記情報記録部と前記第２のアンテナとの間を導通とする機能を有し、前記情報リーダ部は、前記識別情報の読み取り動作を行ってその動作結果および前記識別情報を前記制御部に出力する機能を有し、前記制御部は、前記識別情報が読み取れ、かつ、前記識別情報が予め充電が許可されている識別情報と一致した場合にのみ前記充電回路部の充電動作を開始する機能と、前記識別情報が読み取れない状態である場合に前記充電動作を停止する機能とを有することを特徴とする非接触充電システム。
【請求項２】
前記被充電装置は、それぞれ異なる情報を有する複数の情報記録部を有し、前記スイッチは、前記第２のアンテナと前記の複数の情報記録部のいずれか一つとの間を導通とする機能と、前記第２のアンテナとすべての情報記録部との間を非導通とする機能とを有し、前記充電制御回路部は、前記バッテリーの充電状態に応じて、前記第２のアンテナと前記の複数の情報記録部のうちから選択された一つの情報記録部との間を導通とするか、または前記第２のアンテナとすべての情報記録部との間を非導通とするかを判断し、その結果に基づいて前記スイッチを制御する機能を有することを特徴とする請求項１に記載の非接触充電システム。
【請求項３】
前記充電装置は、前記充電回路部の充電動作を開始した後、前記充電回路部の充電動作と、前記情報リーダ部の前記識別情報の読み取り動作とを、交互に周期的に実施し、前記被充電装置は、前記充電動作により充電電力を受けている間は、前記スイッチを制御して前記情報記録部と前記第２のアンテナとの間をすべて非導通とすることを特徴とする請求項１または２に記載の非接触充電システム。
【請求項４】
前記制御部は、前記情報リーダ部よりの入力により、読み取り動作結果および前記識別情報を判断する場合、予め定めた一定の時間、または、予め定めた一定の回数、前記情報リーダ部が前記読み取り動作を行った後、前記判断を行うことを特徴とする請求項１〜３のいずれか１項に記載の非接触充電システム。
【発明の詳細な説明】
【技術分野】
【０００１】
本発明は、電子機器などに内蔵されたバッテリーの充電を非接触で行う非接触充電システムに関する。
【背景技術】
【０００２】
通常、携帯型電子機器等には充電可能なバッテリー、すなわち二次電池が内蔵されており、バッテリーの充電量が所定の値以下となった場合には、その都度、充電装置により充電を行う必要がある。近年、充電装置から携帯型電子機器への充電は、接触不良等を防止するため、充電用の端子を接続して充電する接触型の充電方式ではなく、電磁誘導を利用して非接触の電力伝送により充電を行う非接触充電方式が採用されている。
【０００３】
非接触充電システムでは、充電装置の近傍に金属片が置かれたときの発熱防止、バッテリーの種類に応じた最適な充電電流の選定、過充電の防止等を目的として、充電機能とともに、充電装置と携帯型電子機器側の被充電装置との間の通信機能を具備するものもある。このような充電機能と通信機能とを兼ね備えた接触充電システムの例が特許文献１、特許文献２に記載されている。
【０００４】
図９は、特許文献１に記載された従来の非接触充電システムの構成を示すブロック構成図である。図９において、充電装置３では、その近傍にＩＣカードを内蔵する携帯端末の被充電装置４が設置された場合、被充電装置４側の通信用のアンテナ４６、充電装置側の通信用のアンテナ３５を介してＩＣカードリーダ部３４で、被充電装置４に内蔵されたＩＣカード部４５の識別情報を読み取り、その識別情報が予め充電が許可されている識別情報と一致するか制御部３１で判断され、一致する場合、充電回路部３２を駆動して送電コイル３３に電力を供給する。被充電装置４では、受電コイル４１により受電された電力は、平滑回路部４２により平滑化され、充電制御回路部４３を経てバッテリー４４に充電される。以上のように、この非接触充電システムでは、充電装置３側で識別情報が認証された後、初めて充電動作が可能となる。このように充電装置と被充電装置との間の通信を行うことにより、異物等が置かれた場合の誤充電を防止することができる。また、情報を記録するＩＣカード部４５に、機種情報、メーカ情報等、充電方式を識別できるような識別情報を格納しておくことにより、それぞれの携帯端末に適した充電方式を選択して充電することも可能となる。
【０００５】
図１０は、特許文献２に記載された従来の非接触充電システムの構成を示すブロック構成図である。この従来例では、図９の例と異なり、充電に用いる送電コイル５３および受電コイル６１を通信においても共通に使用している。すなわち、充電装置５において、充電動作時は、制御部５１によりスイッチ５４をパルス的にオン、オフさせ、これを繰り返すことにより、充電回路部５２に接続された送電コイル５３に交流電流を発生させ、被充電装置６側の受電コイル６１に電磁誘導により電力を誘起させて伝送している。受電コイル６１で受電された電力は平滑回路部６２を介してバッテリー６４に充電される。一方、通信を行う場合は、制御部５１によりスイッチ５４をオンにして、送電コイル５３と受電コイル６１間の電磁誘導を介して通信を行っている。ここで、被充電装置６の充電制御回路部６３はバッテリー６４の充電状況を監視しており、満充電になった場合、送信回路６５からその旨の信号を送出し、制御部５１でその信号を受信して充電を中止することにより、過充電の防止や効率的な充電が可能となる。
【先行技術文献】
【特許文献】
【０００６】
【特許文献１】特開２００７−９７３３１号公報
【特許文献２】特開２００１−１０２９７４号公報
【発明の概要】
【発明が解決しようとする課題】
【０００７】
しかし、図９の従来技術では、充電装置側はＩＣカード部４５の識別情報を読み取るだけなので、充電対象となる製品の判別や充電方法の認識は可能であるが、被充電装置のバッテリーが満充電であるか否か等の現在の充電状態を把握することはできない。このため、バッテリーが過充電になったり、無駄に送電電力を使ってしまうという課題がある。
【０００８】
一方、図１０の従来技術では、被充電装置の充電状態の情報を通信することにより上述の問題は解消できるが、通常の通信電力に比べて１０倍以上大きい充電電力を扱う回路を、通信においても使用する必要がある。また、充電のための送電コイルおよび受電コイルを通信でも共通に使用することから、通信時の性能を確保するためには、送信回路６５やその周辺の回路が複雑になってしまい、装置コストが高くなるという課題がある。
【０００９】
以上のように、被充電装置と通信を行い、充電対象となる装置の認識と被充電装置の充電状況の把握が可能な従来の非接触充電システムでは、通信のための回路が複雑になり、コスト高になるという課題がある。一方で、従来の安価な方式として、ＩＣカードやＩＣタグなどの識別情報だけを読み取る方法もあるが、充電状況を把握することができないため、利便性にかけ、電力が無駄になるとともに過充電になるおそれがあるという課題がある。
【００１０】
そこで、本発明の目的は、被充電装置の識別情報の認識と充電状況の把握が可能で安価な非接触充電システムを提供することにある。
【課題を解決するための手段】
【００１１】
上記の課題を解決するために、本発明は、充電装置と被充電装置とを有し、前記充電装置に設けた送電コイルと前記被充電装置に設けた受電コイルとの間の電磁誘導を介して、前記充電装置から前記被充電装置に対して非接触で充電を行う非接触充電システムにおいて、前記充電装置は、前記送電コイルに供給する充電電力を発生する充電回路部と、前記被充電装置から送られた識別情報を読み取る情報リーダ部と、前記情報リーダ部に接続された第１のアンテナと、前記充電回路部及び前記情報リーダ部を制御するための制御部とを具備し、前記被充電装置は、バッテリーと、前記バッテリーへの充電を制御する充電制御回路部と、前記受電コイルに誘起された電力を平滑化して前記充電制御回路部に出力する平滑回路部と、固有の識別情報を記憶したＩＣを内蔵した情報記録部と、前記情報記録部と前記情報リーダ部との間の通信を行うための第２のアンテナと、前記情報記録部と前記第２のアンテナとの間に設置されたスイッチとを具備し、前記充電制御回路部は、前記バッテリーの充電状況を監視し、前記バッテリーの電力が予め定めた値を越える場合には前記スイッチを制御して前記情報記録部と前記第２のアンテナとの間を非導通とし、前記バッテリーの電力が予め定めた値以下の場合には前記スイッチを制御して前記情報記録部と前記第２のアンテナとの間を導通とする機能を有し、前記情報リーダ部は、前記識別情報の読み取り動作を行ってその動作結果および前記識別情報を前記制御部に出力する機能を有し、前記制御部は、前記識別情報が読み取れ、かつ、前記識別情報が予め充電が許可されている識別情報と一致した場合にのみ前記充電回路部の充電動作を開始する機能と、前記識別情報が読み取れない状態である場合に前記充電動作を停止する機能とを有することを特徴とする。
【００１２】
ここで、前記被充電装置は、それぞれ異なる情報を有する複数の情報記録部を有し、前記スイッチは、前記第２のアンテナと前記の複数の情報記録部のいずれか一つとの間を導通とする機能と、前記第２のアンテナとすべての情報記録部との間を非導通とする機能とを有し、前記充電制御回路部は、前記バッテリーの充電状態に応じて、前記第２のアンテナと前記の複数の情報記録部のうちから選択された一つの情報記録部との間を導通とするか、または前記第２のアンテナとすべての情報記録部との間を非導通とするかを判断し、その結果に基づいて前記スイッチを制御する機能を有していてもよい。
【００１３】
また、前記充電装置は、前記充電回路部の充電動作を開始した後、前記充電回路部の充電動作と、前記情報リーダ部の前記識別情報の読み取り動作とを、交互に周期的に実施し、前記被充電装置は、前記充電動作により充電電力を受けている間は、前記スイッチを制御して前記情報記録部と前記第２のアンテナとの間をすべて非導通としてもよい。
【００１４】
また、前記制御部は、前記情報リーダ部よりの入力により、読み取り動作結果および前記識別情報を判断する場合、予め定めた一定の時間、または、予め定めた一定の回数、前記情報リーダ部が前記読み取り動作を行った後、前記判断を行ってもよい。
【発明の効果】
【００１５】
以上のように、本発明の非接触充電システムでは、複雑な回路を設けることなく、充電装置は安価なＩＣカードやＩＣタグなどの識別情報だけを認識する機能を持ち、被充電装置は充電状態によりＩＣタグなどの情報記録部を通信用の第２のアンテナに接続するか否かを決定し、充電装置側で識別情報が読み取れるか否かを判断する。その判断結果により充電の開始および終了を実施することにより、過充電を防止し、不要な電力を送出することがなく、電力削減が可能となる。また、異なる情報を持つＩＣタグなどの情報記録部を複数個設けることにより、さらに詳細な充電状態を通知することが可能となり、急速充電や効率的な充電が可能となるという利点がある。
【００１６】
以上のように、本発明により、被充電装置の識別情報の認識と充電状況の把握が可能で安価な非接触充電システムが得られる。
【図面の簡単な説明】
【００１７】
【図１】本発明による非接触充電システムの第１の実施の形態を示すブロック構成図。
【図２】本発明による非接触充電システムの第２の実施の形態を示すブロック構成図。
【図３】本発明による非接触充電システムの第１の実施の形態による充電装置側の動作フローを示すフローチャート図。
【図４】本発明による非接触充電システムの第１の実施の形態による被充電装置側の動作フローを示すフローチャート図。
【図５】本発明による非接触充電システムの第２の実施の形態による充電装置側の動作フローを示すフローチャート図。
【図６】本発明による非接触充電システムの第２の実施の形態による被充電装置側の動作フローを示すフローチャート図。
【図７】本発明による非接触充電システムの第３の実施の形態による充電装置側の動作フローを示すフローチャート図。
【図８】本発明による非接触充電システムの第３の実施の形態による被充電装置側の動作フローを示すフローチャート図。
【図９】従来の非接触充電システムの構成を示すブロック構成図。
【図１０】従来の非接触充電システムの構成を示すブロック構成図。
【発明を実施するための形態】
【００１８】
以下、本発明の実施の形態について、図面を参照して詳細に説明する。
【００１９】
図１は本発明による非接触充電システムの第１の実施の形態を示すブロック構成図である。図１において、本実施の形態の非接触充電システムは、充電装置１と被充電装置２とを有し、充電装置１に設けた送電コイル１３と被充電装置２に設けた受電コイル２１との間の電磁誘導を介して、充電装置１から被充電装置２に対して非接触で充電を行う非接触充電システムである。充電装置１は、送電コイル１３に供給する充電電力を発生する充電回路部１２と、被充電装置２から送られた識別情報を読み取る情報リーダ部であるＩＣタグリーダ部１４と、ＩＣタグリーダ部１４に接続された第１のアンテナであるアンテナ１５と、充電回路部１２及びＩＣタグリーダ部１４を制御するための制御部１１とを具備している。被充電装置２は、バッテリー２４と、バッテリー２４への充電を制御する充電制御回路部２３と、受電コイル２１に誘起された電力を平滑化して充電制御回路部２３に出力する平滑回路部２２と、固有の識別情報を記憶したＩＣを内蔵した情報記録部であるＩＣタグ部２５と、ＩＣタグ部２５とＩＣタグリーダ部１４との間の通信を行うための第２のアンテナであるアンテナ２６と、ＩＣタグ部２５とアンテナ２６との間に設置されたスイッチ２７とを具備している。また、充電制御回路部２３は、バッテリー２４の充電状況を監視し、バッテリー２４の電力が予め定めた値を越える場合には、スイッチ２７を制御してＩＣタグ部２５とアンテナ２６との間を非導通とし、バッテリー２４の電力が予め定めた値以下の場合には、スイッチ２７を制御してＩＣタグ部２５とアンテナ２６との間を導通とする機能を有している。ＩＣタグリーダ部１４は、識別情報の読み取り動作を行ってその動作結果および識別情報を制御部１１に出力する機能を有し、制御部１１は、識別情報が読み取れ、かつ、その識別情報が予め充電が許可されている識別情報と一致した場合にのみ充電回路部１２の充電動作を開始する機能と、識別情報が読み取れない状態である場合に充電動作を停止する機能とを有している。
【００２０】
図３は、本発明による非接触充電システムの第１の実施の形態による充電装置側の動作フローを示すフローチャート図である。図４は、本発明による非接触充電システムの第１の実施の形態による被充電装置側の動作フローを示すフローチャート図である。以下、図３、図４のフローチャートに沿って、図１に示す第１の実施の形態の非接触充電システムの動作を説明する。
【００２１】
初期状態では、図３に示すように、充電装置１は制御部１１により充電回路部１２の充電動作を停止させて図３に示すようにＩＣタグリーダ部１４のみを起動させておく。ＩＣタグリーダ部１４は、アンテナ１５を通じて電波を放出し、近くに存在するＩＣタグからの応答を待つ状態、すなわち、ＩＣタグインベントリの状態となっている。一方、図４に示すように、被充電装置２では充電制御回路部２３でバッテリー２４の電力状態を監視しており、バッテリー２４の電力が予め設定されている設定閾値以下の場合にはスイッチ２７を導通状態（オン）に、設定閾値を越える場合はスイッチ２７を非導通状態（オフ）に制御する。スイッチ２７がオンとなると、ＩＣタグ部２５にアンテナ２６が接続されることになるので通常のＩＣタグとして機能することになり、ＩＣタグリーダ部１４から識別情報（ＩＤ）の読み取りが可能となる。一方、スイッチ２７がオフとなると、ＩＣタグ部２５とアンテナ２６が切り離されることになるので、ＩＣタグリーダ部１４からは読み取りが不可能となる。例えば、バッテリー２４の設定閾値を満充電の９０％とすれば、バッテリー残量が９０％を切った場合にスイッチ２７がオンとなり、被充電装置２が充電装置１に接近した場合は、ＩＣタグリーダ部１４でＩＣタグ部２５の識別情報（ＩＤ）を読み取ることができる。
【００２２】
被充電装置２のバッテリー２４の電力が設定閾値未満の場合の動作を説明する。図４に示すように、スイッチ２７はオンとなり、アンテナ２６がＩＣタグ部２５に接続されている状態となっている。被充電装置２が充電装置１に接近して、ＩＣタグリーダ部１４がＩＣタグ部２５を検出した場合、図３に示すようにＩＣタグ部２５のメモリに記録されている固有の識別情報（ＩＤ）を読み取り、この識別情報が事前に充電許可された識別情報、すなわち、充電対象ＩＤであるかどうかを判定し、識別情報が充電対象ＩＤである場合に初めて充電回路部１２を起動して充電電力を放出するように制御する。非接触での充電は送電コイル１３と受電コイル２１を介して電磁誘導で行われる。バッテリー２４への充電が開始され、バッテリー２４の電力が設定閾値を越える場合、充電制御回路部２３はスイッチ２７をオフするように制御する。このようになると、ＩＣタグリーダ部１４では識別情報を認識できなくなり、その情報をもとに制御部１１は充電回路部１２の充電動作を停止するように制御する。
【００２３】
従って、本実施の形態の非接触充電システムでは、満充電になった後も充電し続けて過充電になることを防止できる。また、識別情報を認識しているので、金属片が誤って長い間電磁界にさらされて発熱することも防止できる。また、充電できない一次電池に誤充電することや、異なる識別情報を持っているＩＣカードに向けて過大な誘導電力を送出することも防止することできる。また、充電の途中に被充電装置を抜き取った場合にも、即時に充電を停止することが可能となり、抜き取った後に上述した金属片などの異物を誤って置いたとしても問題が発生することはない。
【００２４】
図２は本発明による非接触充電システムの第２の実施の形態を示すブロック構成図である。本実施の形態の非接触充電システムの基本的な構成は図１の第１の実施の形態と同様である。但し、本実施の形態においては、被充電装置２００は、異なる情報を有する２つの情報記録部である２つのＩＣタグ部２５１、２５２を有し、スイッチ２８は、アンテナ２６を２つのＩＣタグ部２５１、２５２のいずれか一つに接続する機能と、アンテナ２６をすべてのＩＣタグ部から切り離す機能とを有していること、および、充電制御回路部２３０は、バッテリー２４の充電状態に応じて、アンテナ２６を２つのＩＣタグ部２５１、２５２のうちから選択された一つのＩＣタグ部に接続するか、またはアンテナ２６をすべてのＩＣタグ部から切り離すかを判断し、その結果に基づいてスイッチ２８を制御する機能を有していることが異なっている。
【００２５】
図５は、本発明による非接触充電システムの第２の実施の形態による充電装置側の動作フローを示すフローチャート図である。図６は、本発明による非接触充電システムの第２の実施の形態による被充電装置側の動作フローを示すフローチャート図である。以下、図５、図６のフローチャートに沿って、図２に示す第２の実施の形態の非接触充電システムの動作を説明する。
【００２６】
本実施の形態の非接触充電システムの基本動作は、第１の実施の形態の非接触充電システムと同様である。図６に示すように本実施の形態の被充電装置２００では、充電制御回路２３０からの制御によりスイッチ２８は２つのＩＣタグ部２５１、２５２のいずれかに接続するか、あるいはどちらとも接続しないオフの状態かの３つの状態を切り替えることができるようになっている。ＩＣタグ部２５１およびＩＣタグ部２５２は、充電対象か否かの被充電装置固有の識別情報の他に、充電状況に対応した識別情報を有し、その充電状況に対応した識別情報、すなわち充電状況ＩＤはそれぞれ“１”および“２”に設定されている。スイッチ２８の切り替えは充電制御回路部２３０で検出したバッテリー２４の電力値により制御される。ここでは、その電力値が予め定めた設定閾値１未満の場合はＩＣタグ部２５１へ接続し、設定閾値１以上で、設定閾値１より大きい設定閾値２以下の場合は、ＩＣタグ部２５２へ接続し、設定閾値２を越える場合はオフとしている。図５に示すように、充電装置１では第１の実施の形態と同様に識別情報を検出できない時は充電回路部１２を停止させ、被充電装置固有の識別情報を検出しそれが充電対象ＩＤである場合は充電動作を実行する。この場合、本実施の形態においては、２つの充電状況ＩＤにより充電方法を変更することができる。即ち、充電状況ＩＤが“１”の場合は制御１の方法で、充電状況ＩＤが“２”の場合は制御２の方法で充電を行う。例えば、制御２は通常充電モード、制御１は大電流での急速充電モードとしておけば、バッテリー２４の充電量が極端に少ない場合は充電状況ＩＤ＝１を検出することになるので、充電回路部１２では制御１の急速充電モードとなり、充電時間を短縮することが可能となる。図２はＩＣタグ部を２個搭載した場合の例を示しているが、ＩＣタグ部、すなわち情報記録部の数を更に増やすことにより、よりきめ細かなバッテリーの充電情報を充電装置に通知することが可能となり、さらに効率のよい充電が可能となる。
【００２７】
次に、本発明による非接触充電システムの第３の実施の形態について説明する。本実施の形態の非接触充電システムの構成は、図１に示した第１の実施の形態と同じである。但し、本実施の形態においては、第１の実施の形態とは動作方法が異なる。本実施の形態では、図１において、充電装置１は、充電回路部１２の充電動作を開始した後、充電回路部１２の充電動作と、ＩＣタグリーダ部１４の識別情報の読み取り動作とを、交互に周期的に実施し、被充電装置２は、充電動作により充電電力を受けている間は、スイッチ２７を制御してＩＣタグ部２５とアンテナ２６との間を非導通としている。
【００２８】
図７は、本発明による非接触充電システムの第３の実施の形態による充電装置側の動作フローを示すフローチャート図である。図８は、本発明による非接触充電システムの第３の実施の形態による被充電装置側の動作フローを示すフローチャート図である。以下、図７、図８のフローチャートに沿って、図１に示す第３の実施の形態の非接触充電システムの動作を説明する。
【００２９】
本実施の形態の非接触充電システムにおいて、被充電装置２が充電装置１に接近して、図７に示すようにＩＣタグリーダ部１４がＩＣタグ部２５を検出した場合、ＩＣタグ部２５のメモリに記録されている固有の識別情報を読み取り、その識別情報が事前に充電許可された識別情報かどうか判定し、許可された識別情報の場合はＩＣタグリーダ部１４の動作を停止し、アンテナ１５からの電波の送出を停止する。その後、充電回路部１２を起動して充電電力を放出するように制御する。非接触での充電は送電コイル１３と受電コイル２１を介して電磁誘導で行われる。予め設定された所定時間だけ充電動作が行われた後、一旦充電回路部１２の動作を停止し、再度ＩＣタグリーダ部１４を起動して識別情報の認証を行う。以下、同様の動作を繰り返し、識別情報の認証ができなくなった時点で充電動作を停止し、ＩＣタグインベントリの状態となる。一方、図８に示すように被充電装置２では、バッテリー２４の電力が低下してスイッチ２７がオン状態で待機している時に充電動作が開始されたことを充電制御回路部２３が検出した後、一旦スイッチ２７をオフにしてから充電動作を実行する。充電装置１からの充電が一旦、途切れた場合は、まだ充電が不十分で設定閾値以下の場合に限り、再度スイッチ２７をオンにする。最終的に充電が完了して設定閾値を越える場合は、スイッチ２７をオフにして充電装置が充電動作を終了する。この手順は図３、図４の場合と同じである。
【００３０】
本実施の形態では、このように充電中は通信を停止できるので無駄な電力を使わなくてすみ、低消費電力化が達成できるという利点がある。また、通信と充電を同じ周波数で行う場合、充電中に通信用の電波を送出すると、充電電力は通信電力に比べて１０倍以上も大きいため、通信不良になることが考えられる。しかし、本実施の形態では、このように同一周波数を使う場合においても、充電と通信とを時分割的に行うため、正常に通信を行うことが可能となるという利点がある。
【００３１】
なお、本実施の形態において、誤動作を防止するため、制御部１１がＩＣタグリーダ部１４よりの入力により、読み取りの動作の可否の結果および識別情報を判断する場合、予め定めた一定の時間、または、予め定めた一定の回数、ＩＣタグリーダ部が読み取り動作を行った後、その判断を行ってもよい。
【００３２】
以上のように、本発明の非接触充電システムにおいては、充電状況に応じて情報記録部とアンテナ間をスイッチにより開閉して、充電装置側に識別情報を送出するか否かの制御を行うことにより、簡易で経済的な方法で充電状況を通知することができ、過充電防止や誤充電防止が可能となる。
【００３３】
上記の実施の形態において、スイッチ２７、２８としては通常の電子機器でスイッチとして用いられるＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）などの半導体素子を用いることができる。通信用のアンテナ１５、２６としては通常の小型ダイポールアンテナ素子など、通常の電子機器や携帯型電子機器で用いられるアンテナ素子を用いることができる。また、スイッチ以外の送電コイル、受電コイル、充電回路部、情報リーダ部、制御部、平滑回路部、充電制御回路部などの部品や回路も、特殊な部品や複雑な回路を用いることなく、従来から用いられている一般的な回路と同様の回路を用いて実現することができる。
【００３４】
なお、本発明は上記の実施の形態に限定されるものではないことはいうまでもなく、本非接触充電システムを適用する機器の目的や用途に応じて設計変更可能である。例えば、情報記録部はＩＣタグやＩＣカード、あるいは他の識別情報を有する情報記録媒体などであってもよい。情報リーダ部はアンテナを介して前記の情報記録部の情報を読み取る機能を有すればよい。また、各回路部の構成も用途に応じて設計可能であり、複数の回路部は上記の実施の形態のように分離されていてもよく、または一体に構成されていてもよい。非接触充電システムとしては表示機能やアラーム機能、他の安全保持機能など、他の機能を付加してもよい。
【符号の説明】
【００３５】
１、３、５      充電装置
２、４、６、２００      被充電装置
１１、３１、５１      制御部
１２、３２、５２      充電回路部
１３、３３、５３      送電コイル
２１、４１、６１      受電コイル
１４      ＩＣタグリーダ部
１５、２６、３５、４６      アンテナ
２２、４２、６２      平滑回路部
２３、４３、６３、２３０      充電制御回路部
２４、４４、６４：バッテリー
２５、２５１、２５２      ＩＣタグ部
２７、２８、５４      スイッチ
３４      ＩＣカードリーダ部
４５      ＩＣカード部
６５      送信回路
【図１】
2013021894.tif 000003
【図２】
2013021894.tif 000004
【図３】
2013021894.tif 000005
【図４】
2013021894.tif 000006
【図５】
2013021894.tif 000007
【図６】
2013021894.tif 000008
【図７】
2013021894.tif 000009
【図８】
2013021894.tif 000010
【図９】
2013021894.tif 000011
【図１０】
2013021894.tif 000012